(57)【特許請求の範囲】
【請求項１】
院内の患者を識別する識別情報付与方法であって、
患者識別情報付与装置の印面に、可視光線域では識別できず紫外線照射によって識別できる蛍光材料を含み前記紫外線照射により可視化される不可視インクを塗布して、前記患者の体表に押印することにより、前記不可視インクで形成される患者識別情報を、前記患者毎に直接付与すること、
を特徴とする院内患者の識別情報付与方法。
【請求項２】
前記患者識別情報は、付与される患者の名前、血液型及び患者への使用禁忌の薬品名のうち少なくとも一つを含むこと、
を特徴とする請求項１記載の院内患者識別情報付与方法。
【発明の詳細な説明】
【技術分野】
【０００１】
本発明は、院内において、患者を識別するための院内患者の識別情報付与方法に関する。
【背景技術】
【０００２】
病院等の医療現場において、手術患者を別の患者と取り違えたり、患者の血液型を間違えて輸血したりする等、患者を別の患者と誤認して生じる医療事故が多発している。このような患者誤認による医療事故を防止するため、例えば、特許文献１に示すように、患者にリストバンドを付けて管理するシステムが用いられている。
【０００３】
このリストバンドには、患者の名前、血液型及びバーコード等の所定事項が印刷され、このリストバンドを確認することによって、医師や看護士等は、患者や患者の血液型等を間違えることのないようにしている。
【特許文献１】特開２００３−１９３３０８号公報
【発明の開示】
【発明が解決しようとする課題】
【０００４】
しかしながら、従来のリストバンドを用いて患者を識別するシステムでは、患者は、名前、血液型等の所定事項が印刷されたリストバンドを装着しているため、常に患者本人の名前、血液型等の個人情報が開示されることとなり、不快感を伴い患者自身のストレスとなるという問題がある。
【０００５】
また、従来のシステムでは、患者へのリストバンドの装着に手間がかかるとともに、リストバンドを装着した患者が院内で行動する際に、装着したリストバンドが院内の突起物に引っ掛かる等して患者に怪我をさせる恐れがあった。
【０００６】
本発明はかかる点に鑑みてなされたものであり、院内において必要時以外に他人に個人情報を開示させることなく、装着感を感じさせず、ストレスなく患者を安全に識別できる院内患者の識別情報付与方法を提供することを目的とする。
【課題を解決するための手段】
【０００８】
本発明の方法は、院内の患者を識別する識別情報付与方法であって、患者識別情報付与装置の印面に、可視光線域では識別できず紫外線照射によって識別できる蛍光材料を含み前記紫外線照射により可視化される不可視インクを塗布して、前記患者の体表に押印することにより、前記不可視インクで形成される患者識別情報を、前記患者毎に直接付与するようにした。なお、前記患者識別情報は、付与される患者の名前、血液型及び患者への使用禁忌の薬品名のうち少なくとも一つを含むようにしてもよい。
【発明の効果】
【０００９】
本発明によれば、院内における患者に対して、必要時以外に他人に患者本人の情報を開示させることがないとともに、患者に装着感を感じさせることなくストレスを与えずに患者を安全に識別することができる。
【発明を実施するための最良の形態】
【００１０】
以下、本発明の実施の形態について、図面を参照して詳細に説明する。
【００１１】
図１は、本発明の一実施の形態に係る患者識別情報付与装置と、当該患者識別情報付与装置により付与される患者識別情報を示す図である。
【００１２】
図１に示す患者識別情報１０は、ここでは、患者（受診者も含む）２０の体表面２１に、患者識別情報付与装置１００によって、不可視インクを用いて押印されたスタンプ１０である。
【００１３】
図２は、スタンプを示す図である。なお、図２に示すスタンプは、図１において患者に付与されたスタンプを可視化した状態で示している。
【００１４】
このスタンプ１０は、押印された患者の情報（以下、「患者情報」という）を有し、患者情報は、具体的には、患者の氏名、血液型、患者に対する禁忌の薬品等の情報が含まれる。また、スタンプ１０には、患者の生年月日、病棟等の情報を含めても良い。
【００１５】
このスタンプ１０は、患者識別情報付与装置１００によって患者（受診者を含む）に付与されている。
【００１６】
図１に示す患者識別情報付与装置１００は、紫外線照射により可視化される不可視インクを用いて形成される患者識別情報（スタンプ）１０を患者毎に付与する患者情報付与部１１０を有する。
【００１７】
患者情報付与部１１０は、氏名、血液型、禁忌の薬品欄と、これら欄内にそれぞれ対応する文字の印字体が選択自在に配置される文字配設部１１２を備える。ここでは文字配設部１１２により形成される患者情報の印面に、不可視インクを塗布して、付与する対象体に転写して当該対象体に不可視インクによるスタンプ（印影）１０が形成される。
【００１８】
なお、文字配列部１１２は、氏名、血液型、禁忌の薬品を示す所定の文字の印字体が差し込まれる開口部を有するものとし、この開口部に患者に対応して印字体を差し込み、印字体を印字面に配置させることで形成してもよい。また、この開口部に、回転操作可能であり、且つ、氏名（例えば、ひらがな又はカタカナ）、血液型（アルファベット）、禁忌の薬品等の印字体をそれぞれ備える印字ベルトを、印面に対して接離移動自在に配設してもよい。この場合、これら印字ベルトを回転して所定の印字体を開口部と離間した位置でセットし、印面位置に移動させることによって、文字配設部１１２の開口部内に印字体を配置して、患者情報が形成される。
【００１９】
不可視インクは、可視光線域では識別できず紫外線照射によって識別できる蛍光材料を含み、この蛍光材料を水に溶解もしくは分散した樹脂液に溶解もしくは分散させることにより得られる。蛍光材料としては、従来から公知の蛍光染料、蛍光顔料等が挙げられ、スペクトルの紫外線域（波長２５０〜３８０nm）において輻射線を吸収し、スペクトルの青色〜白色（波長４００〜５００nm）域において高度の蛍光性放射を発し、付与された部分は肉眼では殆ど識別できない蛍光性化合物が使用される。蛍光性化合物としては、例えば、ジフェニルエチレン系、オキサゾール系、チアゾール系、イミダゾール系、トリアゾール系、ピラゾール系、フラン系、チオフェン系、ペリジカルボン酸アミド系、クマリン系の化合物等が挙げられる。
【００２０】
ここでは、不可視インクは水性であり、患者に付与されたスタンプは水で洗い流すことによって、必要に応じて容易に消去できる。
【００２１】
なお、この患者識別情報付与装置１００は、患者に、患者本人の患者情報を不可視インクで付与する構成であればどのように構成されていてもよい。例えば、患者識別情報付与装置は、ＣＰＵ、ＲＡＭ及び、ＲＯＭを備える制御部と、院内における患者毎の情報が記憶された情報記憶部と、付与情報作成部と、不可視インク印字部等とを有する構成とする。この構成において、患者に識別情報を付与する場合、制御部は、情報記憶部から付与対象となる患者の患者情報を読み出して、付与情報作成部に出力する。付与情報作成部では、入力された情報を配列して、所定のレイアウト（例えば図２参照）の患者情報を作成し、そのデータを不可視インク印字部に出力する。不可視インク印字部では、付与情報作成部から入力された情報を、不可視インクによって、患者の皮膚（例えば、上腕部の体表面）に印字する。
【００２２】
このような患者情報を含むスタンプは、図３に示すように、ブラックライト３００によってのみ可視化され、ブラックライト３００の紫外線を当てると弱い蛍光によって光る。
【００２３】
ブラックライト３００は、目には見えない近紫外線を効率よく発するランプであり、スタンプ蛍光塗料あるいは白い塗料を塗ったものにこの光線をあてると可視光として反射するので暗中でも鮮やかに光って見える。
【００２４】
このような患者識別情報付与装置を用いた患者識別方法について説明する。
【００２５】
まず、図１に示す患者識別情報付与装置１００により、院内の患者毎に、当該患者に対応する患者情報が記載されたスタンプ１０を付与する。
【００２６】
手術室に入る前若しくは輸血前などにおいて、予め設定されたスタンプ１０が付与された患者の体表面の部位２１をブラックライト３００で照射する。
【００２７】
これにより、医師又は看護士は、患者情報を視認することができ、患者本人を別の患者と誤認することなく、患者に最適な処置を施すことができる。
【００２８】
また、本実施の形態では、ブラックライト３００の照射によって可視化される不可視インクにより患者識別情報（スタンプ）１０が付与されているため、常態時において、他人に、患者本人の名前、血液型等の個人情報が視認されることがない（図１参照）。
【００２９】
よって、院内の患者は、従来と異なり、通常時には、個人情報が常に開示される不快感によるストレスがない。さらに、本実施の形態によれば、従来と異なり、患者本人を識別するために、患者にリストバンドを装着させることがない。このように患者は、リストバンドを装着することなく、患者識別情報が付与されるため、リストバンドの装着感による不快感も伴いことがなく、院内で行動する場合でも、装着したリストバンドが院内の突起物に引っ掛かることがない。
【００３０】
このように、本実施の形態によれば、院内における患者に対して、患者本人を識別する情報を、必要時以外に他人に個人情報を開示させることがないとともに、装着感を感じることなく、ストレスをかけずに付与するため、患者を安全に識別できる。
【００３１】
ここでは、患者の上腕などに不可視インクで記された患者識別情報（スタンプ）１０には、患者本人の氏名の他、血液型及び禁忌の薬品名が記されている。このため、医師又は看護士は、手術室への入室する患者或いは、手術台に乗った患者に対して、識別情報を付与している部分（例えば患者の上腕）にブラックライト３００を照射して、患者本人、患者の血液型及び患者に投与できない禁忌の薬品を確認できる。
【００３２】
よって、医師又は看護士は、手術対象となる患者に対して、患者の血液型と異なる血液型と間違えて輸血することがなくなるとともに、患者に禁忌の薬品を誤って投与することがなくなり、患者情報を誤認することにより発生する医療事故の防止を図ることができる。
【００３３】
また、スタンプ１０は水性の不可視インキを用いているため、識別不要な際には、水で洗い流すことで、体表面から容易に消去することができる。
【００３４】
本実施の形態では、患者識別情報付与装置を、患者識別情報を患者の体表面に印刷されるスタンプとしたが、これに限らず、不可視インクによって患者情報が印刷されたシールとしてもよい。この場合、患者情報が登録された患者情報記憶部と、制御部と、印字部とを備え、制御部を介して患者情報記憶部の情報を読み込み、患者毎の患者情報を生成して、接続された印字部に出力する構成が挙げられる。印字部では、入力された患者情報をシール基材に印字するとともに、印字されたシール基材を患者に貼着する。
【００３５】
＜変形例＞
図４は、患者識別情報付与装置の変形例を示す機能ブロック図である。
【００３６】
図４に示す患者識別情報付与装置２００は、患者情報を入力する入力装置２１０、識別情報制御装置２２０、患者の体表に直接付与する患者識別情報として当該患者識別情報が印字されたシール基材を患者の体表に付与するシール付与装置２３０を備える。
【００３７】
入力装置２１０は、キーボード、タッチパネル、患者情報としての二次元バーコードを読み取るバーコードリーダなどであり、患者の情報を識別情報制御装置２２０に出力する。
【００３８】
識別情報制御装置２２０は、ＣＰＵ、ＲＯＭ、ＲＡＭ及び制御プログラム等で構成され、所定の制御プログラムに従ってデータ処理を行い、印字制御データ(制御命令を含む)及び印字データを生成し、これらのデータを出力することによりシール付与装置２３０を制御する。
【００３９】
この識別情報制御装置２２０は、シール付与装置２３０に印字制御データ及び印字データを送信することによって、不可視インクにより所定の患者情報をシール上に印字し、このシールを患者の体表に付与させる。
【００４０】
具体的には、識別情報制御装置２２０は、入力された患者個人の医療情報またはデータベース等から患者個人の医療情報を取得して、シールに印字するための患者毎の患者情報（図２参照）データを生成し、シール付与装置２３０を制御して、シール基材上に不可視インクにより印字して患者識別情報として患者の体に付与させる。
【００４１】
識別情報制御装置２２０では、制御部２２２と、識別情報取得部２２３と、印字データ作成部２２４とを有する。
【００４２】
制御部２２２は、識別情報制御装置２２０全体の動作を制御する。識別情報取得部２２３は、制御部２２２を介して入力装置２１０により入力されたデータ等に基づいて、シール基材上に印字すべき患者情報を取得する。識別情報取得部２２３は、取得した情報を、印字データ作成部２２４に出力する。
【００４３】
印字データ作成部２２４は、識別情報取得部２２３から入力された個人患者毎の患者情報に基づいて、シール基材に印字するための印字データ及び制御データを生成して、シール付与装置２３０に送信する。
【００４４】
なお、識別情報制御装置２２０は、病院内の患者情報データベースにアクセス可能な通信制御部を備えた構成として、患者情報データベースに入力装置２１０を介して入力された患者情報を読み書き自在に記憶するようにしてもよい。この構成の場合、識別情報取得部２２３に通信制御部を介して患者毎の患者情報データベースから、必要な患者毎の患者情報を取得させる等する。なお、患者情報データベースは、識別対象となる患者を診療した他の病院、患者に医薬を提供した薬局、患者を前に検査した検査センター等に通信回線により接続された構成とし、他の施設から患者情報を取得するようにしてもよい。
【００４５】
シール付与装置２３０は、識別情報制御装置２２０から送信された印字データ及び制御命令に従い、印字部２３２によりシール基材への印字を実行する。印字手段としては、例えばインクジェット方式であれば印字ヘッド、インクタンク、印字ヘッドを被印字媒体である、シール基材に対して相対的に移動させるモータを含む機構(図示せず)が含まれる。
【００４６】
シール付与装置２３０は、熱転写方式のものであり、識別情報制御装置２２０とデータ通信を行う通信部２３３と、印字装置全体を制御する制御部２３４と印字部２３２とシール搬送部２３５及びシール貼着部２３６とを備えている。
【００４７】
印字部２３２は、印字制御部２３２ａ、印字バッファ（図４に示す「バッファ」）２３２ｂ、サーマル印字ヘッド（図４に示す「印字ヘッド」）２３２ｃ及びサーマル印字ヘッド２３２ｃに熱転写式の不可視インクリボンを搬送するリボン搬送部２３２ｄを有する。シール搬送部２３５はシール基材を印字部２３２の印字ヘッド２３２ｃによる転写位置に搬送するとともに、転写後、シール貼着部２３６の貼着位置に搬送する。シール貼着部２３６は、貼着位置に配置された患者の体表に、シール搬送部２３５により搬送された識別情報付きのシールを貼着する。
【００４８】
このようにシール付与装置２３０では、識別情報制御装置２２０から送信された印字データ及び印字命令は、通信部２３３を介して制御部２３４に入力される。印字データ及び印字命令は、印字制御部２３２ａに入力され、搬送制御命令は、シール搬送部２３５に入力される。印字データは、印字されるドットパターンデータに展開されて印字バッファ２３２ｂに記憶される。印字は、印字バッファ２３２ｂに記憶されたドットパターンに応じて印字ヘッド２３２ｃの各ドットを駆動発熱させることにより、リボン搬送部２３２ｄにより搬送された熱転写不可視インクリボンのインクを溶融し、不可視インクを、シール搬送部２３５により転写位置に搬送されたシール基材上に転写することにより実行される。
【００４９】
不可インクが転写されたシール基材は、制御部２３４により制御されるシール貼着部２３６によって、シール基材に印字された患者情報に対応する患者の体表に貼着される。
【００５０】
なお、シール付与装置２３０の制御部２３４に、識別情報制御装置２２０の機能を持たせることにより、シール付与装置２３０のみで患者識別情報としてのシールを作成して、対応する患者に付与できるようにしてもよい。
【００５１】
患者に貼着されるシールと一体化されて、患者に付与された患者識別情報は、ブラックライト３００の照射でのみ、視認される。また、患者識別情報の位置は、患者の体表に貼着されたシール位置となるため、シールに体表色よりも確認されやすい色を付けることによってブラックライトの照射位置も容易に確認できるものとなる。
【００５２】
なお、患者識別情報は、ブラックライトの照射により可視化された際に、患者が寝泊まりする病室のある病棟毎に、赤、青、黄などの異なる色で発色するようにしても良い。
【００５３】
また、スタンプにおける複数の患者情報において、禁忌の薬品のみ他の情報と異なる色として他の情報と明確に識別できるようにしてもよい。
【００５４】
以上、本発明の実施の形態について説明した。なお、以上の説明は本発明の好適な実施の形態の例証であり、本発明の範囲はこれに限定されない。つまり、上記各装置の構成および各装置の使用時の動作についての説明は一例であり、本発明の範囲においてこれらの例に対する様々な変更や追加が可能であることは明らかである。
【図面の簡単な説明】
【００５５】
【図１】本発明の一実施の形態に係る患者識別情報付与装置により付与される患者識別情報を示す図
【図２】可視化されたスタンプを示す図
【図３】付与されたスタンプを用いた患者の識別の説明に供する図
【図４】本発明の一実施の形態に係る患者情報付与装置の変形例を示す機能ブロック図
【符号の説明】
【００５６】
１０  スタンプ（患者識別情報）
１００、２００  患者識別情報付与装置
１１０  患者情報付与部
２３０  シール付与装置
３００  ブラックライト
【図１】
0005132389.tif 000002
【図２】
0005132389.tif 000003
【図３】
0005132389.tif 000004
【図４】
0005132389.tif 000005